【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
ネットワークにおけるワイヤレス通信の方法であって、前記方法は、
アクセスポイントによって、アドバタイジングメッセージを送信するためのアドバタイジングウィンドウのタイミングを決定することと、ここにおいて、前記アドバタイジングメッセージは、前記アクセスポイントを通じてまたは前記アクセスポイントの前記ネットワーク上でアクセス可能な複数のサービスをアドバタイズする、
前記アクセスポイントによって、１つ以上のワイヤレス局に前記アドバタイジングウィンドウの前記タイミングに関する情報を送信することと、
前記アドバタイジングウィンドウ中に、前記アクセスポイントによって、前記１つ以上のワイヤレス局に前記アドバタイズメントメッセージを送信することと
を備える方法。
【請求項２】
前記ネットワークを介して前記アクセスポイントまたは他のノードによって提供される１つ以上のサービスについての情報を要求するワイヤレス局からクエリを受信することと、前記クエリに対する応答をさらに備える前記アドバタイズメントメッセージを生成することをさらに備え、特に、前記方法は、クエリに応答する最短時間を送信することをさらに備える、請求項１に記載の方法。
【請求項３】
前記アドバタイジングウィンドウの前記タイミングに関する前記情報は、プローブ応答フレームまたはビーコンにおいて送信される、請求項１に記載の方法。
【請求項４】
前記ネットワーク上で提供される１つ以上のサービスについてのクエリを受信することと、
前記アドバタイジングウィンドウ中に、前記ネットワーク上で提供される１つ以上のサービスについての前記クエリを再送信することと
をさらに備える、請求項１に記載の方法。
【請求項５】
ネットワークにおけるワイヤレス通信のためのアクセスポイントであって、
前記アクセスポイントは、
アドバタイジングメッセージを送信するためのアドバタイジングウィンドウのタイミングを生成すること、ここにおいて、前記アドバタイジングメッセージは、前記アクセスポイントを通じてまたは前記アクセスポイントの前記ネットワーク上でアクセス可能な複数のサービスをアドバタイズする、
を行うように適合され、
前記アクセスポイントは、
１つ以上のワイヤレス局に前記アドバタイジングウィンドウの前記タイミングに関する情報を送信することと、
前記アドバタイジングウィンドウ中に、前記１つ以上のワイヤレス局に前記アドバタイジングメッセージを送信することと
を行うように構成された送信機を備える、アクセスポイント。
【請求項６】
前記ネットワークを介して前記アクセスポイントまたは他のノードによって提供される１つ以上のサービスについての情報を要求するワイヤレス局からクエリを受信するように構成された受信機をさらに備え、ここにおいて、前記アクセスポイントは、前記クエリに対する応答をさらに備える前記アドバタイズメントメッセージを生成するように構成され、特に、前記アクセスポイントは、前記クエリに応答する最短時間を、前記ワイヤレス局に送信することを行うようにさらに構成される、請求項５に記載のアクセスポイント。
【請求項７】
前記送信機は、前記アドバタイジングウィンドウの前記タイミングに関する前記情報をプローブ応答フレームまたはビーコンにおいて送信すること行うようにさらに構成される、請求項５に記載のアクセスポイント。
【請求項８】
ネットワークにおけるワイヤレス通信の方法であって、前記方法は、
ワイヤレス局によって、アクセスポイントに前記ネットワークを介して提供されるサービスについての情報に対する要求を送信することと、
前記ワイヤレス局によって、および前記要求に応答して、前記ネットワークを介して提供される前記要求されたサービスについての前記情報がアドバタイズされることとなるアドバタイジングウィンドウに関するタイミング情報を前記アクセスポイントから受信することと、
前記ワイヤレス局によって、前記アドバタイジングウィンドウの開始まで、前記タイミング情報に基づいて、スリープすることと、
前記ワイヤレス局によって、前記アドバタイジングウィンドウ中に、前記ネットワークを介して提供される前記要求されたサービスについての前記情報を前記アクセスポイントから受信することと、前記ネットワークを介して提供される前記要求されたサービスについての前記情報は、複数のサービスについての情報を備える、
を備える方法。
【請求項９】
前記タイミング情報は、プローブ応答フレームにおいて受信され、前記タイミング情報は、前記アクセスポイントが前記クエリに応答することとなる最短時間をさらに示す、請求項８に記載の方法。
【請求項１０】
前記複数のサービスは、前記アクセスポイントによって提供される１つ以上のサービスおよび他のワイヤレス局によって提供されるサービスを備える、請求項８に記載の方法。
【請求項１１】
前記アドバタイジングウィンドウ中に、前記ネットワークを介して提供される１つ以上のサービスについての情報を要求する１つ以上のクエリを、前記アクセスポイントから受信することをさらに備え、前記クエリは、他のワイヤレス局によって最初に送信される、請求項８に記載の方法。
【請求項１２】
ネットワークにおける通信のためのワイヤレス局であって、
前記ワイヤレス局は、
前記ネットワークを介して提供されるサービスについての情報に対する要求を生成することと、
アクセスポイントに前記要求を送信することと
を行うように適合され、
前記ワイヤレス局は、
前記要求に応答して、前記ネットワークを介して提供される前記要求されたサービスについての前記情報がアドバタイズされることとなるアドバタイジングウィンドウに関するタイミング情報を前記アクセスポイントから受信すること
を行うように構成された受信機を備え、
前記ワイヤレス局は、
前記アドバタイジングウィンドウの開始まで、前記タイミング情報に基づいて、スリープすることと、
前記アドバタイジングウィンドウ中に、前記アドバタイジングウィンドウ中に、前記ネットワークを介して提供される前記要求されたサービスについての前記情報を前記アクセスポイントから受信することと、前記ネットワークを介して提供される前記要求されたサービスについての前記情報は、複数のサービスについての情報を備える、
を行うように適合されたワイヤレス局。
【請求項１３】
前記要求は、クエリを備え、ここにおいて、前記ワイヤレスデバイスは、前記アドバタイジングウィンドウ中に、前記クエリに対する応答を受信するようにさらに構成され、
特に、前記受信機は、プローブ応答フレームにおいて前記タイミング情報を受信するようにさらに構成され、前記タイミング情報は、前記アクセスポイントが前記クエリに応答することとなる最短時間をさらに示す、
請求項１１に記載のワイヤレス局。
【請求項１４】
前記受信機は、前記アクセスポイントから、および前記アドバタイジングウィンドウ中に、前記ネットワークを介して提供される１つ以上のサービスについての情報を要求する１つ以上のクエリを受信するようにさらに構成され、前記クエリは、他のワイヤレス局によって最初に送信される、請求項１１に記載のワイヤレス局。
【請求項１５】
コンピュータ上で実行されたとき、請求項１乃至４または８乃至１１のステップを実行するための命令を備える、コンピュータプログラム。
【手続補正２】
【補正対象書類名】明細書
【補正対象項目名】００６５
【補正方法】変更
【補正の内容】
【００６５】
[0068]  前述の内容は本開示の態様に向けられているが、本開示の他のおよびさらなる態様が、これらの基本的な適用範囲から逸脱することなく考案されることができ、その適用範囲は、以下に示す特許請求の範囲によって決定される。
以下に、出願当初の特許請求の範囲に記載された発明を付記する。
［Ｃ１］
ネットワーク上でサービス情報を送信するためにアドバタイジングウィンドウを使用するための方法であって、前記方法は、
前記ネットワーク上で１つ以上のノードによって提供されるサービスについての情報がアドバタイズされることとなるアドバタイジングウィンドウに関するタイミング情報を送信することと、
前記アドバタイジングウィンドウ中に、前記ネットワーク上で１つ以上のノードによって提供されるサービスについての情報を送信することと
を備える方法。
［Ｃ２］
前記ネットワーク上で１つ以上のノードによって提供される１つ以上のサービスについて、ワイヤレスデバイスからクエリを受信することをさらに備え、ここにおいて、情報を送信することは、前記１つ以上のサービスについての情報を送信することを備える、Ｃ１に記載の方法。
［Ｃ３］
前記ネットワーク上で１つ以上のノードによって提供される１つ以上のサービスについてのクエリを、ワイヤレスデバイスから受信することをさらに備え、ここにおいて、タイミング情報を送信することは、前記クエリに対する応答を備えるアドバタイジングウィンドウに関するタイミング情報を前記ワイヤレスデバイスに送信することを備える、Ｃ１に記載の方法。
［Ｃ４］
前記アドバタイジングウィンドウ中に、他のワイヤレスデバイスが、前記他のワイヤレスデバイスによって提供されるサービスに関する情報を送信するのを可能にすることをさらに備える、Ｃ１に記載の方法。
［Ｃ５］
タイミング情報を含むプローブ応答フレームまたはビーコンを構築することさらに備える、Ｃ１に記載の方法。
［Ｃ６］
クエリに応答する最短時間を送信することをさらに備える、Ｃ１に記載の方法。
［Ｃ７］
前記ネットワーク上で提供される１つ以上のサービスについてのクエリを受信することと、
前記アドバタイジングウィンドウ中に、前記ネットワーク上で提供される１つ以上のサービスについての前記クエリを再送信することと
をさらに備える、Ｃ１に記載の方法。
［Ｃ８］
ワイヤレス通信デバイスであって、前記デバイスは、
送信機を備え、ここで、前記送信機は、
前記ネットワーク上で１つ以上のノードによって提供されるサービスについての情報がアドバタイズされることとなるアドバタイジングウィンドウに関するタイミング情報を送信することと、
前記アドバタイジングウィンドウ中に、前記ネットワーク上で１つ以上のノードによって提供されるサービスについての情報を送信することと
を行うように構成される、デバイス。
［Ｃ９］
前記ネットワーク上で１つ以上のノードによって提供される１つ以上のサービスについて、ワイヤレスデバイスからクエリを受信するように構成された受信機をさらに備え、ここにおいて、情報を送信することは、前記１つ以上のサービスについての情報を送信することを備える、Ｃ８に記載のデバイス。
［Ｃ１０］
前記ネットワーク上で１つ以上のノードによって提供される１つ以上のサービスについてのクエリを、ワイヤレスデバイスから受信するように構成された受信機をさらに備え、ここにおいて、タイミング情報を送信することは、前記クエリに対する応答を備えるアドバタイジングウィンドウに関するタイミング情報を前記ワイヤレスデバイスに送信することを備える、Ｃ８に記載のデバイス。
［Ｃ１１］
前記送信機は、前記アドバタイジングウィンドウ中に、他のワイヤレスデバイスが、前記他のワイヤレスデバイスによって提供されるサービスに関する情報を送信するのを可能にするようにさらに構成される、Ｃ８に記載のデバイス。
［Ｃ１２］
前記送信機は、タイミング情報を含むプローブ応答フレームまたはビーコンを構築するようにさらに構成される、Ｃ８に記載のデバイス。
［Ｃ１３］
クエリに応答する最短時間を送信することをさらに備える、Ｃ８に記載のデバイス。
［Ｃ１４］
前記ワイヤレス通信デバイスは、アクセスポイントとして機能するようにさらに構成される、Ｃ８に記載のデバイス。
［Ｃ１５］
前記ネットワーク上で提供される１つ以上のサービスについてのクエリを受信するように構成された受信機と、
前記アドバタイジングウィンドウ中に、前記ネットワーク上で提供される１つ以上のサービスについての前記クエリを再送信する
ようにさらに構成された前記送信機と
をさらに備える、Ｃ８に記載のデバイス。
［Ｃ１６］
ネットワーク上でアドバタイジングウィンドウを使用するための方法であって、前記方法は、
前記ネットワーク上で１つ以上のノードによって提供されるサービスについての情報がアドバタイズされることとなるアドバタイジングウィンドウに関するタイミング情報をアクセスポイントから受信することと、
前記アドバタイジングウィンドウ中に、前記ネットワーク上で１つ以上のノードによって提供されるサービスについての情報を前記アクセスポイントから受信することと
を備える方法。
［Ｃ１７］
１つ以上のサービスについての情報を要求するクエリを前記アクセスポイントに送信することをさらに備え、ここにおいて、タイミング情報を受信することは、前記クエリに応答してアドバタイジングウィンドウのタイミング情報を受信することを備える、Ｃ１６に記載の方法。
［Ｃ１８］
前記クエリに応答するタイミングを含むプローブ応答フレームを受信することをさらに備える、Ｃ１７に記載の方法。
［Ｃ１９］
前記アドバタイジングウィンドウの時間まで低電力モードに入ることをさらに備え、ここで、前記アドバタイジングウィンドウの前記時間は、前記クエリに応答する前記タイミングに少なくとも部分的に基づく、Ｃ１７に記載の方法。
［Ｃ２０］
１つ以上のサービスについての情報を要求するクエリを前記アクセスポイントに送信することと、
前記アドバタイジングウィンドウの時間まで低電力モードに入ることと
をさらに備える、Ｃ１６に記載の方法。
［Ｃ２１］
クエリに応答する最短時間を受信することをさらに備える、Ｃ１６に記載の方法。
［Ｃ２２］
前記アドバタイジングウィンドウ中に、１つ以上のサービスについての情報を要求する１つ以上の再送信されたクエリを受信することをさらに備える、Ｃ１６に記載の方法。
［Ｃ２３］
前記アドバタイジングウィンドウ中に、ワイヤレスデバイスによって提供される１つ以上のサービスに関連したアドバタイジングメッセージを送信することをさらに備える、Ｃ１６に記載の方法。
［Ｃ２４］
ワイヤレス通信デバイスであって、前記デバイスは、
前記ネットワーク上で１つ以上のノードによって提供されるサービスについての情報がアドバタイズされることとなるアドバタイジングウィンドウに関するタイミング情報をアクセスポイントから受信することと、
前記アドバタイジングウィンドウ中に、前記ネットワーク上で１つ以上のノードによって提供されるサービスについての情報を前記アクセスポイントから受信することと
を行うように構成された受信機を備えるデバイス。
［Ｃ２５］
１つ以上のサービスについての情報を要求するクエリを前記アクセスポイントに送信するように構成された送信機をさらに備え、ここにおいて、タイミング情報を受信することは、前記クエリに応答してアドバタイジングウィンドウのタイミング情報を受信することを備える、Ｃ２４に記載のデバイス。
［Ｃ２６］
前記受信機は、前記クエリに応答するタイミングを含むプローブ応答フレームを受信するようにさらに構成される、Ｃ２５に記載のデバイス。
［Ｃ２７］
前記受信機は、前記アドバタイジングウィンドウの時間まで低電力モードに入るようにさらに構成され、ここで、前記アドバタイジングウィンドウの前記時間は、前記クエリに応答する前記タイミングに少なくとも部分的に基づく、Ｃ２５に記載のデバイス。
［Ｃ２８］
１つ以上のサービスについての情報を要求するクエリを前記アクセスポイントに送信するように構成された送信機と、前記アドバタイジングウィンドウの時間まで低電力モードに入るようにさらに構成された前記受信機とをさらに備える、Ｃ２４に記載のデバイス。
［Ｃ２９］
前記受信機は、前記アドバタイジングウィンドウ中に、１つ以上のサービスについての情報を要求する１つ以上の再送信されたクエリを受信するようにさらに構成される、Ｃ２４に記載のデバイス。
［Ｃ３０］
前記アドバタイジングウィンドウ中に、前記ワイヤレス通信デバイスによって提供される１つ以上のサービスに関連したアドバタイジングメッセージを送信するように構成された送信をさらに備える、Ｃ２４に記載のデバイス。